(57)【特許請求の範囲】
【請求項１】
天板と、
前記天板を支持する上部支持体を昇降可能に支持する下部支持体を備えている伸縮可能な脚体と、
前記脚体の下部支持体に取り付けた取り付け部と、
前記取り付け部に取り付けられていて前記天板側から延びる配線を収容する配線収容部と、を備え、
前記取り付け部は角筒状の前記下部支持体の三面を覆うと共に残りの一面に係止部が設けられ、前記係止部に前記配線収容部に設けた係合部が係合されていることを特徴とする天板昇降方式の什器装置。
【請求項２】
前記天板から前記配線収容部に延びる配線を内部に収容していて前記天板の昇降に応じて湾曲変位可能な配線案内部を備えており、
前記取り付け部または前記配線収容部に前記配線案内部を取り付けた請求項１に記載された天板昇降方式の什器装置。
【請求項３】
前記取り付け部は下部支持体のほぼ全周を囲っており、
前記取り付け部に設けた係止部と前記配線収容部に設けた係合部の一方はスリットであり、他方はスリットに係合可能な係止爪部である請求項１または２に記載された天板昇降方式の什器装置。
【請求項４】
前記取り付け部と配線収容部の少なくとも一方は識別のために着色されている請求項１から３のいずれか１項に記載された天板昇降方式の什器装置。
【発明の詳細な説明】
【技術分野】
【０００１】
本発明は、オフィスや病院や公共施設等の執務空間に設置されていて、天板の高さを上下方向に調整可能な天板昇降方式のデスク装置やテーブル装置等の什器装置に関する。
【背景技術】
【０００２】
従来、オフィスや病院や公共施設等の執務空間においては、執務室に作業エリアを提供するためにデスク装置やテーブル装置等が配設されていることが一般的である。執務空間に例えばデスク装置を設置する場合、執務者の体格や性別、嗜好等によって作業のし易いデスク装置の天板高さは異なっている。天板高さが一定のデスク装置では、このような実情に対応できないため、天板高さを上下に調整可能としたデスク装置が用いられる。
こうした天板昇降式のデスク装置を用いることによって、執務者の好みに応じた天板高さの作業エリアを提供することができ、作業効率を向上させると共に執務者の体への負荷や負担を軽減することができる。
【０００３】
従来のデスク装置において、天板高さを上下に変更するための昇降手段として例えば特許文献１及び２に記載された、ガススプリングを用いる方法やギアを用いる方法等が提案されている。これらの昇降手段によれば、構造が比較的簡単でありコストを低廉に抑えることができる。
しかしながら、これら手動の昇降手段は、力の弱い執務者では操作部を操作し難いことがあった。また、執務者の好みに合わない天板高さで執務していると、作業姿勢が悪くなるという問題を有していた。
【０００４】
このような問題を改善する手段として、デスク装置の操作性を良好にするために例えば特許文献３〜５に記載されたように電動式駆動ユニットを備えたものが多く採用されている。電動式のデスク装置によれば、執務者が容易に好適な天板高さに調整できる。
電動式駆動ユニットを備えた天板昇降式デスク装置においては、執務空間内に設けられた商用電源からデスク本体に設けられた駆動ユニットに電力を供給する必要があるため、電源ケーブルをデスク本体内に引き込む必要があった。電動式駆動ユニットの駆動ユニットは天板内や天板の裏面等に設置されていることが多く、これらの場合、天板近傍に設けた駆動ユニットの電源ケーブルを床面まで吊り下げて商用電源に接続している。
【先行技術文献】
【特許文献】
【０００５】
【特許文献１】特許第３３７１９５９号公報
【特許文献２】特許第３３９１２８５号公報
【特許文献３】実用新案登録第３１６４７３９号公報
【特許文献４】特許第４８４６３４７号公報
【特許文献５】特開２０１４−１１３５０５号公報
【発明の概要】
【発明が解決しようとする課題】
【０００６】
しかしながら、上述した電動式のデスク装置では、天板の高さが上下に変更可能であるため、天板の昇降動作に追従して吊り下げた電源ケーブルが上下に移動してしまう。すると、電源ケーブルがデスク装置の天板周辺や下方に配設された他の物品に引っ掛かる可能性があった。また、執務者が執務を行う場合に執務者の身体や足等が電源ケーブルに触れる可能性があり、好ましくなかった。
さらに、電動式駆動ユニットは内部に駆動機構が内蔵されているため、電動式駆動ユニット近傍の電源ケーブルに配線ダクトを取付ける場合に加工を施すのが困難であるという問題を有していた。
【０００７】
本発明は、このような課題に鑑みてなされたものであり、簡単な構造で、執務者や周辺の物品が電源ケーブルに接触するおそれがなく操作できるようにした天板昇降方式の什器装置を提供することを目的とする。
【課題を解決するための手段】
【０００８】
本発明による天板昇降方式の什器装置は、上面に作業面を有する天板と、天板を支持する上部支持体を昇降可能に支持する下部支持体を備えている伸縮可能な脚体と、脚体の下部支持体に取り付けた取り付け部と、取り付け部に取り付けられていて天板側から延びる配線を収納する配線収容部と、を備え、前記取り付け部は角筒状の前記下部支持体の三面を覆うと共に残りの一面に係止部が設けられ、前記係止部に前記配線収容部に設けた係合部が係合されていることを特徴とする。
本発明による天板昇降方式の什器装置によれば、天板側から垂下して脚体の下部支持体に延びる配線を取り付け部に連結した配線収容部に収容することで、脚体に加工を施すことなく下部支持体に沿って床面側に配線をガイドして延ばすことができる。そのため、天板が昇降する際には、天板の昇降に応じて配線を湾曲変位させ、床面側では下部支持体に連結した配線収容部に沿って保持できるため、配線が執務者や脚体近傍の物品等に接触したり絡まったりすることを防止できる。
しかも、下部支持体に取り付けた取り付け部の係止部に配線収容部の係合部を係合させることで、配線収容部を脚体の下部支持体に固定させて、配線を下部支持体に沿って配線収容部によって案内できる。
【０００９】
また、天板から配線収容部に延びる配線を内部に収容していて天板の昇降に応じて湾曲変位可能な配線案内部を備えており、取り付け部または配線収容部に配線案内部を取り付けることが好ましい。
配線案内部の下端部を取り付け部または配線収容部に取り付けることで、配線案内部内でガイドされた配線は確実に取り付け部に連結された配線収容部内で下方まで案内されており、床面上に位置する執務者や脚体近傍の物品等に配線が接触したり絡まったりすることを防止できる。
【００１１】
また、取り付け部は下部支持体のほぼ全周を囲っており、取り付け部に設けた係止部と配線収容部に設けた係合部の一方はスリットであり、他方はスリットに係合可能な係止爪部であってもよい。
スリットに係止爪部を係合させることで、下部支持体のほぼ全周を囲う取り付け部に配線収容部を保持できる。
【００１２】
また、取り付け部と配線収容部の少なくとも一方は識別のために着色されていることが好ましい。
取り付け部と配線収容部の少なくとも一方を着色し、異なるフロアやスペースによって着色を変えることで、執務空間における執務内容や執務の種類等の識別を容易に行える。
【発明の効果】
【００１３】
本発明による天板昇降方式の什器装置によれば、構造が簡易で取り付けが容易であり、脚体に加工を施すことなく配線を設置することができるので加工工数と加工コストを削減することができる。しかも、執務者や什器装置周辺の物品等に配線が接触するおそれがなく高い操作性と安全性を確保することができる。
【図面の簡単な説明】
【００１４】
【図１】本発明の第一実施形態による天板昇降式のデスク装置を示す要部斜視図である。
【図２】図１に示す天板から脚体に沿って垂れ下がるケーブル保護チェーンの斜視図である。
【図３】脚体の下部支持体と配線ダクトを示す分解斜視図である。
【図４】脚体の下部支持体に取り付けた取り付け枠に配線ダクトを連結した図であり、（ａ）は側面図、（ｂ）は正面図である。
【図５】図４に示す取り付け枠と配線ダクトの拡大水平断面図である。
【図６】本発明の第二実施形態によるデスク装置において、取り付け枠とカバー部材の取り付け状態を示す分解斜視図である。
【図７】図６においてカバー部材と当接部材を除いた取り付け枠に対する固定部材とケーブル保護チェーンの連結機構を示す斜視図である。
【図８】取り付け枠にカバー部材を取り付けた状態を示すものであり、（ａ）は側面図、（ｂ）は正面図である。
【図９】（ａ）は図６における取り付け枠とカバー部材を示すＡ−Ａ線断面図、（ｂ）は同じく取り付け枠と当接部材を示すＢ-Ｂ線断面図である。
【発明を実施するための形態】
【００１５】
以下、本発明の実施形態による天板昇降式のデスク装置１を、添付図面を参照して説明する。
図１から図５は本発明の第一実施形態による天板昇降式のデスク装置１であり、例えば病院やオフィスや公共施設の執務室や会議室等で用いられる。このデスク装置１は、床面Ｆ上に載置される例えば一対の脚体２と、脚体２の上部に取り付けられた例えば長円形板状の天板３とを概略で備えている。天板３は上面が例えば作業面であり、その中央には内部に設置した電源ソケットを隠す配線カバー４や埋め込みスイッチ５等が設置されている。
【００１６】
図1及び図２において、脚体２は床面Ｆ上に設けた例えば長板状のベース部材７と、ベース部材７の中央から起立して上方に延びていて天板３を支持する脚部材８とを備えている。脚部材８は、ベース部材７に固定された下部支持体９Ａと、下部支持体９Ａ内から上下方向に昇降可能に収納された中間支持体９Ｂと、中間支持体９Ｂ内から上下方向に昇降可能に収納された上部支持体９Ｃとを有している。上部支持体９Ｃの上端部に天板３が支持されている。
これら下部支持体９Ａ，中間支持体９Ｂ，上部支持体９Ｃは例えば四角形筒状に形成されているが、円筒状等でもよく、水平断面形状は任意の筒状でよい。下部支持体９Ａに対して中間支持体９Ｂと上部支持体９Ｃがそれぞれ上下方向に出没することで脚部材８の上下方向長さを調整することができる。
【００１７】
なお、本実施形態では、脚部材８として下部支持体９Ａと中間支持体９Ｂと上部支持体９Ｃとを上下方向に出没可能に配設したが、天板３を上下動させるには少なくとも下部支持体９Ａと上部支持体９Ｃとを備えていればよい。或いは、中間支持体９Ｂを複数設けて互いに出没可能としてもよい。
本実施形態によるデスク装置１は、脚部材８の昇降動作を制御する公知の図示しない制御ユニットと中間支持体９Ｂ及び上部支持体９Ｃを上下動させる駆動モータ（図示せず）とを備えている。更に制御ユニットに昇降動作信号を入力するための操作部１１が例えば天板３の側部に設置されている。制御ユニットは天板３の下面側に設けた収納ブロック１２内に設置されている。
【００１８】
制御ユニットに接続された電源ケーブル１３は収納ブロック１２の開口部１２ａを通して外部に延びて、デスク装置１が設置された執務空間に設けられた商用電源に接続されている。商用電源から電源ケーブル１３を介して供給される電力は、脚部材８の昇降動作だけでなく、天板３に設置されるパソコン等の電子機器やその他の各種の機器の電源として配線カバー４内の電源ソケットや埋め込みスイッチ５等に接続されて用いられる。
【００１９】
この電源ケーブル１３は一方の脚部材８の近傍で収納ブロック１２の開口部１２ａから外部に延びており、収納ブロック１２の開口部１２ａに近接する位置に設けた上下方向に延びるケーブル保護チェーン１４内に保持されている。図２において、ケーブル保護チェーン１４は、断面略コの字状をなす多数のチェーンコマ１４ａをリングピンＰで順次回動可能に連結したチェーン状部材であり、各チェーンコマ１４ａの開口１４ｂを通してその内部空間に電源ケーブル１３を収納している。
ケーブル保護チェーン１４は上端部を天板３の収納ブロック１２の下面に支持されて垂下し、下端部を後述する配線ダクト１６の上端部に固定している。しかもケーブル保護チェーン１４は天板３の昇降範囲の最も高い位置から配線ダクト１６までの長さ以上の余裕のある長さを有しており、例えばＪ字状に湾曲して垂下されている。天板３が降下すると自重でケーブル保護チェーン１４が下方に大きく湾曲変位可能であり、上昇することで湾曲部が小さくなるよう変位する。
【００２０】
図３から図５において、脚部材８の下部支持体９Ａには角筒状の下部支持体９Ａの三面を覆うと共に残りの一面の中央に開口１８ａを形成した角筒枠状の取り付け枠１８が取り付けられ、下部支持体９Ａのほぼ全周を取り付け枠１８によって覆っている。取り付け枠１８の開口１８ａの両側には一対の長板状の係止部１９が起立して形成されている。一対の係止部１９の上端部にはその付け根に沿って所定長さのスリット１９ａがそれぞれ形成されている。
また、取り付け枠１８の上下方向の中間部には一対の係止部１９を切除した切除部１８ｂが形成され、切除部１８ｂの下側の係止部１９の上部にも同様にその付け根にスリット１９ａが形成されている。
【００２１】
図３及び図４において、ケーブル保護チェーン１４の下端部は配線ダクト１６の上端部にリングピンＰを介して回動可能に連結されている。配線ダクト１６は図３から図５に示すように、断面略コの字状で残りの一面に開口１６ａが形成されている。配線ダクト１６の長さは取り付け枠１８の長さとほぼ同一とされているが、同一でなくてもよい。
ケーブル保護チェーン１４内を通ってガイドされた電源ケーブル１３が配線ダクト１６の内部にも挿入されており、配線ダクト１６の下端部から床面Ｆ上に載置されて壁面等の商用電源に電気的に接続可能とされている。
【００２２】
配線ダクト１６における開口１６ａの両端部には開口１６ａを閉鎖する方向に、図４及び図５に示すような一対の係止爪部２１が突出して形成されている。係止爪部２１は上端部とは別に上下方向に途中にも一対形成されている。これら二組の係止爪部２１はそれぞれ取り付け枠１８の上下方向の２つの係止部１９に対向する位置にそれぞれ設けられている。
そのため、配線ダクト１６の２組の係止爪部２１を取り付け枠１８の２組の係止部１９のスリット１９ａの上端から挿入することで、図４及び図５に示すように取り付け枠１８に配線ダクト１６を係合可能としている。係合状態で取り付け枠１８と配線ダクト１６はほぼ同一長さで同一の上下方向高さ位置に設置されている。
【００２３】
なお、取り付け枠１８と配線ダクト１６は同一色に着色されているものとする。特に、これら取り付け枠１８と配線ダクト１６の色を異なる色に着色することで、各フロア毎や各スペース毎にデスク装置１の脚体２自体に直接塗装をしなくても色を識別できる。例えば、病院内の各フロアや仕切られたスペース内では、着色の種類によって内科、整形外科、耳鼻咽喉科等の診療科や病室等の科目種類等を識別することができて便利である。
また、オフィス等においても、各フロアや仕切られたスペース内で経理部や総務部、営業部等の執務内容の識別が容易になる。
【００２４】
本第一実施形態による天板昇降式のデスク装置１は上述の構成を備えており、電源ケーブル１３の取り付け方法について説明する。
なお、取り付け枠１８は予め、下部支持体９Ａの下部から、または脚部材８を収縮させた状態で下部支持体９Ａの上部から挿入することで、下部支持体９Ａに装着するとよい。
図２において、天板３の下面の収納ブロック１２の開口部１２ａから外部に排出された電源ケーブル１３をケーブル保護チェーン１４の開口１４ｂ内に押し込んでケーブル保護チェーン１４の全長に亘って収納する。そして、ケーブル保護チェーン１４の下端部のチェーンコマ１４ａをリングピンＰで配線ダクト１６の上端部に連結して支持させる。
【００２５】
そして、ケーブル保護チェーン１４の下端部から下方に延びる電源ケーブル１３は配線ダクト１６の開口１６ａから挿入して同様に配線ダクト１６の全長に亘って上下方向に挿入する。
この状態で、図３において、配線ダクト１６の開口１６ａを脚部材８の下部支持体９Ａを覆って取り付けた取り付け枠１８の開口１８ａに対向させ、配線ダクト１６の係合部としての係止爪部２１を取り付け枠１８の係止部１９のスリット１９ａに上方から挿入する。これによって、図４及び図５に示すように、配線ダクト１６を取り付け枠１８に係合することができる。
デスク装置１の脚体２に対して電源ケーブル１３を取り付けるための溶接やねじ加工等が困難であっても脚部材８の下部支持体９Ａに配線ダクト１６を容易に連結することができる。
【００２６】
次に、本第一実施形態による天板昇降式のデスク装置１の使用方法について説明する。
デスク装置１において、脚部材８を伸長させて天板３を最も高い位置に保持した状態で、下部支持体９Ａに対して中間支持体９Ｂ，上部支持体９Ｃが最も伸長して上昇した位置にある。この状態で、電源ケーブル１３を収納したケーブル保護チェーン１４は例えば図２に示すようにＪ字に湾曲して、取り付け枠１８に係合した配線ダクト１６の上端に連結した状態にある。
【００２７】
そして、操作部１１の操作ボタンを操作することで天板３を降下させると、下部支持体９Ａに対して中間支持体９Ｂと上部支持体９Ｃが所定の高さまで降下する。天板３が降下すると、ケーブル保護チェーン１４の下端部は配線ダクト１６の上端部で固定保持されているため、ケーブル保護チェーン１４の湾曲部が更に下方に降下して湾曲部分が長くなることで調整する。
すると、ケーブル保護チェーン１４に収容された電源ケーブル１３も同様に湾曲する。
天板３の昇降による電源ケーブル１３の上下方向の変位をケーブル保護チェーン１４の上下方向の湾曲撓みの変化によって保護することができる。そのため、天板３の昇降によって、電源ケーブル１３やケーブル保護チェーン１４が互いに絡み合ったり、脚体２や執務者の身体等やデスク装置１の近傍に置いた物品等と干渉したりすることを防止できる。
【００２８】
上述したように、本第一実施形態による天板昇降式のデスク装置１によれば、ケーブル保護チェーン１４及び配線ダクト１６に電源ケーブル１３を収納したため、簡単な構造でありながら取り付け作業が容易である。しかも、天板３を昇降させても電源ケーブル１３やケーブル保護チェーン１４は互いに絡み付いたりせず、執務者やデスク装置１の周辺の物品等が電源ケーブル１３やケーブル保護チェーン１４に接触するおそれもないため、使用時の作業性が良好で安全性を確保できる。
また、下部支持体９Ａに加工を施すことなく、配線ダクト１６取り付け用の取り付け枠１８を装着することができるので、加工工数と加工コストを削減できる。
【００２９】
また、取り付け枠１８によって下部支持体９Ａのほぼ全周を覆うと共に取り付け枠１８に形成した係止部１９のスリット１９ａに配線ダクト１６の係止爪部２１を係合することができるので、断面略コの字形状の配線ダクト１６を簡単な構成にして容易に取り付け枠１８に取り付けることができる。
また、電源ケーブル１３を天板３から床面Ｆに案内するケーブル保護チェーン１４と配線ダクト１６にそれぞれ開口１４ｂ、１６ａを形成して、電源ケーブル１３の挿脱を容易にしたので、電源ケーブル１３の収容時の作業性が良好である。
【００３０】
更に、電源ケーブル１３は、脚部材８の昇降駆動のための制御ユニットや電源モータ等の配線だけでなく、天板３に設置する電子機器に結線された配線を通電させる配線カバー４内の電源ソケットや埋め込みスイッチ５等のケーブルも電源ケーブル１３の一部の配線とすることで、同様に執務者やデスク装置１の周辺の物品等が電源ケーブル１３に接触するおそれもなく、使用時の作業性が良く安全性を確保できる。
また、脚部材８の下部支持体９Ａを覆う取り付け枠１８に任意の異なる色を付与することで、執務内容や執務フロアやスペースに応じた種類分けが可能であり、多くの執務者や第三者が取り付け枠１８の色の違いによって容易に目視確認できる。
【００３１】
なお、本発明は上述の第一実施形態による天板昇降式のデスク装置１に限定されることはなく、本発明の要旨を変更しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００３２】
次に、本発明の第二実施形態による天板昇降式のデスク装置１について図６乃至図９により説明する。
本第二実施形態による天板昇降式のデスク装置１Ａでは、図６乃至図９に示すように、脚体２における脚部材８の下部支持体９Ａの３面と他の１面（他の脚体２と対向する面であることが好ましい）である受け面９Ａａの両側部を覆った例えば断面略Ｃ字状の取り付け枠２４が取り付けられている。取り付け枠２４において、受け面９Ａａの中央に対向して開口２４ａが形成されてなる両端面２４ｂの端縁は受け面９Ａａに向けて折り曲げられている。
【００３３】
そして、取り付け枠２４の両端面２４ｂにはそれぞれ縦長の第一挿入溝２４ｃ(係止部)がスリットとして形成され、その下部には同様に第二挿入溝２４ｄが形成されている。図６及び図９において、下部支持体９Ａの受け面９Ａａに断面略コの字状の当接部材２５が当接し、その両側部２５ａは取り付け枠２４の両端面２４ｂに形成した第二挿入溝２４ｄにそれぞれ嵌合している。
しかも、図９に示すように、取り付け枠２４の両端面２４ｂにおける第二挿入溝２４ｄの内側にはボルト２６を挿通させてナット２７に締め込んで当接部材２５を下部支持体９Ａの受け面９Ａａに押圧している。
なお、当接部材２５は取り付け枠２４の上下方向の上側と下側にそれぞれ取り付けることで開口２４ａを一定の幅に規定することが好ましい。
【００３４】
また、両端面２４ｂにおいて、第一挿入溝２４ｃと第二挿入溝２４ｄの間には外側に突出する略コの字形状の固定部材２８がボルト２６とナット２７で固定されている。この固定部材２８の両側部にケーブル保護チェーン１４の下端部のチェーンコマ１４ａがリングピンＰによってそれぞれ回転可能に取り付けられている。
図７には、取り付け枠２４の両端面２４ｂに固定した固定部材２８にケーブル保護チェーン１４の下端部のチェーンコマ１４ａを取り付けた状態が示されている。
【００３５】
そして、図６、図７に示すように、取り付け枠２４の両端面２４ｂに当接部材２５と固定部材２８をそれぞれ固定した状態で、これらの部材を覆うようにカバー部材３０が化粧部材として取り付けられている。カバー部材３０は外側に平面とテーパ面を有する外面３０ａと内側に折り曲げられた両側部の一対の折り曲げ片の端部に係合部として係止爪部３０ｂがそれぞれ形成されている。
カバー部材３０の係止爪部３０ｂは取り付け枠２４の両端面２４ｂに形成した第一挿入溝２４ｃに挿入することで、取り付け枠２４にカバー部材３０を係止することができる。
カバー部材３０は取り付け枠２４の上端から下端まで延びていて、略同一幅で同一長さに設定されている。しかも、カバー部材３０の上端部の外面３０ａには、ケーブル保護チェーン１４の下端部を固定部材２８に連結するための略Ｕ字状の切欠３０ｃが形成されている。
【００３６】
本第二実施形態による天板昇降式のデスク装置１Ａは、上述の構成を備えており、つぎにその組立方法を説明する。
図６において、下部支持体９Ａを囲うように取り付け枠２４を下部支持体９Ａの上方または下方から嵌め込んで取り付ける。そして、取り付け枠２４の上下方向の上側と下側に当接部材２５をそれぞれ取り付けて、各当接部材２５の両側部２５ａを両端面２４ｂの第二挿入溝２４ｄに嵌合させ、両端面２４ｂの挿通孔を貫通してボルト２６をナット２７に捩じ込むと共に、ボルト２６の先端を当接部材２５に押圧することで当接部材２５を下部支持体９Ａの受け面９Ａａに押圧する。これによって、取り付け枠２４の開口２４ａを一定の幅に保持することができる。
【００３７】
次に、取り付け枠２４の両端面２４ｂにおいて上側の第一挿入溝２４ｃと下側の第二挿入溝２４ｄの間に固定部材２８を外側に突出させて取り付け、ボルト２６とナット２７で両端面２４ｂを挟んで締め込み固定する。この固定部材２８にケーブル保護チェーン１４の下端部のチェーンコマ１４ａを取り付け、固定部材２８の両側部からリングピンＰを嵌合させてチェーンコマ１４ａを支承する。
最後に、固定部材２８の外側にカバー部材３０を取り付け、切欠３０ｃをケーブル保護チェーン１４の下側に嵌め込んで係止爪部３０ｂを、取り付け枠２４の両端面２４ｂの上下の第一挿入溝２４ｃにそれぞれ嵌め込んで支持させる。
本第二実施形態によるデスク装置１Ａにおいても、第一実施形態と同様な作用効果を奏することができる。
【００３８】
なお、上述した各実施形態では、天板３の昇降に応じて湾曲形状が上下方向に変化する電源ケーブル１３を保護するケーブル保護チェーン１４を配線案内部として設けたが、本発明の配線案内部はケーブル保護チェーン１４に限定されるものではない。天板３の昇降に応じて湾曲形状を変化させる電源ケーブル１３を保護して変位可能であれば、例えば筒状や断面略Ｃ字状等の可撓性フィルム等の湾曲可能な保護部材であってもよく、これらの保護部材はケーブル保護チェーン１４と共に配線案内部を構成する。また、配線案内部は必ずしも設けなくてもよく、天板３側から垂下する電源ケーブル１３を配線ダクト１６や固定部材２８及びカバー部材３０に収容してもよい。
また、上述した各実施形態において、下部支持体９Ａに取り付けた取り付け枠１８，２４に連結させて電源ケーブル１３の床面Ｆ側への垂下位置をガイドする配線ダクト１６や固定部材２８及びカバー部材３０は、配線収容部を構成する。更に、取り付け枠１８，２４は取り付け部を構成する。
【００３９】
なお、取り付け枠１８，２４は必ずしも下部支持体９Ａを覆ったり囲ったりする形状である必要はなく、例えば係止部１９を有する部材を下部支持体９Ａにクランプする構成であってもよい。
また、上述した各実施形態では電源ケーブル１３を天板３から床面Ｆに垂下させているが、本発明では電源ケーブル１３に限らず通信ケーブル等でもよく、これらは配線を構成する。
また、第一及び第二実施形態における取り付け枠１８，２４と配線ダクト１６、カバー部材３０との係合構造において、係止部１９及びスリット１９ａと係止爪部２１、第二実施形態における第一挿入溝２４ｃと係止爪部３０ｂはいずれに設けてもよい。
上述した各実施形態では、天板昇降式のデスク装置１，１Ａにおける電源ケーブル１３の配線構造について説明したが、本発明はデスク装置１，１Ａに限定されるものではない。例えば昇降式の天板３としてデスク装置１に代えてテーブル装置やカウンター装置等に用いてもよく、これらは天板昇降式の什器装置に含まれる。
【符号の説明】
【００４０】
１、１Ａ  デスク装置
２  脚体
３  天板
８  脚部材
９Ａ  下部支持体
１３  電源ケーブル
１４  ケーブル保護チェーン
１６  配線ダクト
１８、２４  取り付け枠
１９  係止部
１９ａ  スリット
２１，３０ｂ  係止爪部
２４ｃ  第一挿入溝
２４ｄ  第二挿入溝
２５  当接部材
２８  固定部材
３０  カバー部材
【図１】
0006655483.tif 000002
【図２】
0006655483.tif 000003
【図３】
0006655483.tif 000004
【図４】
0006655483.tif 000005
【図５】
0006655483.tif 000006
【図６】
0006655483.tif 000007
【図７】
0006655483.tif 000008
【図８】
0006655483.tif 000009
【図９】
0006655483.tif 000010